(57)【要約】      （修正有）【課題】少ない種類のユニット家具と一つのジョイントパーツのみで構成され、簡単に組み立てられ、多様にカスタマイズでき、単体でも使用が可能で、様々な生活用品を効率よく収納することができるユニット家具を提供する。【解決手段】対向する正方形の天板１と底板２とを少なくとも１つの側板３で支持し、天板と底板とにおける互いに対向する面側とは反対側の面の中央部に他のユニット家具を接続するためのジョイントパーツが嵌合可能な平面視正方形状の凹部４を設けたユニット家具である。少ない種類のユニット家具と一つのジョイントパーツのみの単純な仕組みで、誰もが組み換え可能で多様にカスタマイズできる。【選択図】図１
0003229951.tif 000002
【実用新案登録請求の範囲】
【請求項１】
対向する正方形の天板と底板とを少なくとも１つの側板で支持し、前記天板と前記底板とにおける互いに対向する面側とは反対側の面の中央部に他の家具を接続するためのジョイントパーツが嵌合可能な平面視正方形状の凹部を設けたユニット家具。
【請求項２】
前記正方形の１辺は、３０ｃｍ以上、５０ｃｍ以下であり、前記側板の高さは、３０ｃｍ以上、５０ｃｍ以下であることを特徴とする請求項１に記載のユニット家具。  
【請求項３】
前記正方形の１辺は、３０ｃｍ以上、５０ｃｍ以下であり、前記側板の高さが、２０ｃｍ以上、４０ｃｍ以下であることを特徴とする請求項１に記載のユニット家具。
【請求項４】
前記ジョイントパーツの凹部に嵌まる面は、前記凹部の形と同じであり、
前記凹部の深さは、前記ジョイントパーツが前記凹部に嵌合した状態において前記ジョイントパーツが前記凹部から突出し且つ前記ジョイントパーツが前記凹部に嵌合した状態での前記凹部からの突出量が前記凹部の深さよりも小さくなるように設定されていることを特徴とする請求項１から３のいずれか１項に記載のユニット家具。
【請求項５】
複数の請求項１から４のいずれか１項のユニット家具と
前記複数のユニット家具のうち鉛直方向において隣接する２つのユニット家具同士を接続するジョイントパーツと、を備える家具。
【請求項６】
前記複数ユニット家具のうちのＮ（Ｎは正の整数）個のユニット家具を鉛直方向に重ねてなる第１家具群の鉛直方向の第１高さと、前記複数のユニット家具のうちのＭ（Ｍは正の整数）個のユニット家具を鉛直方向に重ねてなる第２家具群の鉛直方向の第２高さとが等しくなるように設定されている、
請求項５に記載の家具。
【請求項７】
前記第１家具群を構成するＮ個のユニット家具と、前記第２家具群を構成するＭ個のユニット家具と、の少なくとも一方において、各ユニット家具の前記天板と前記底板との間の距離は、少なくとも１つの他のユニット家具の前記天板と前記底板との間の距離と異なる、
請求項６に記載の家具。
【考案の詳細な説明】
【技術分野】
【０００１】
本考案は、単独でも複数でも使用可能なユニット家具および家具に関するものである。
【背景技術】
【０００２】
時や場所、収納量や、人々の活動シーンによって、同じ空間でも求められる家具は違ってくる。同じ空間であっても、それに合わせて、収納やテーブルなどを買いなおさなければならなかった。そこで、組み換え、追加が可能なユニット家具が提案されている（例えば先行技術文献１参照）。
【先行技術文献】
【特許文献】
【０００３】
【特許文献１】特開２００４−２５４９３６号  公報
【考案の概要】
【考案が解決しようとする課題】
【０００４】
しかしながら、上記のユニット家具では、ユニット家具の数や、追加の際のジョイントパーツが多く、複雑で汎用性に欠け、結果として使いづらいものになっているという問題点があった。
【課題を解決するための手段】
【０００５】
本考案は、対向する正方形の天板と底板とを少なくとも１つの側板で支持し、前記天板と前記底板とにおける互いに対向する面側とは反対側の面の中央部に他のユニット家具を接続するためのジョイントパーツが嵌合可能な平面視正方形状の凹部を設けたユニット家具および、それを組み合わせた家具である。この構成により、少ない種類のユニット家具と一つのジョイントパーツのみの単純な仕組みで、誰もが組み換え可能な多様にカスタマイズできる家具を提供することによって、問題点を解決している。
【考案の効果】
【０００６】
上述のように、少ない種類のユニット家具と一つのジョイントパーツのみで構成され、誰でも簡単に組み立てられ、組み換えて多様にカスタマイズでき、単体でも使用が可能で、様々な生活用品を効率よく収納することができ、人々の生活や活動空間に合わせた使いやすい家具となった。
【図面の簡単な説明】
【０００７】
【図１】本考案のユニット家具の斜視図である。
【図２】本考案のジョイントパーツの形状を示す斜視図である。
【図３】本考案の別のユニット家具の斜視図である。
【図４】（a），(b)は、本考案のユニット家具の天板と底板にある凹部の形状と位置を示した平面図である。
【図５】本考案のユニット家具とジョイントパーツとの結合部分を示す断面図である。
【図６】（a），(b)は本考案のユニット家具を単体で使用した例の図である。
【図７】本考案の別のユニット家具を単体で使用した例の図である。
【図８】本考案のユニット家具を複数段組み合わせて甲板を乗せ、テーブルとして使用した家具の例の図である。
【図９】本考案のユニット家具を並列に置き、それぞれ複数段組み合わせて収納棚として使用した家具の例の図である。
【図１０】本考案のユニット家具を複数個重ねたものを脚とし、甲板を渡してカウンターテーブルとして使用した家具の例の図である。
【図１１】本考案のユニット家具を複数個使用して、収納間仕切り家具として使用した例の図である。
【考案を実施するための形態】
【０００８】
以下、本考案の形態と実施例を図面において説明する。本考案で言うところの正方形や直方体は、使用しやすさを考慮して、コーナー部にRを付けた形も含むものとする。
【０００９】
図１は本考案のユニット家具１００の一例を示す斜視図である。図２は本考案のジョイントパーツ１０１の形状の一例を示す斜視図である。図１に示すように、本考案のユニット家具１００は、対向する正方形の天板１と底板２とを少なくとも１つの側板３で支持している。そして、天板１と底板２とにおける互いに対向する面側とは反対側の面の中央部に他のユニット家具１００を接続するためのジョイントパーツ１０１が嵌合可能な平面視正方形状の凹部４が設けられている。
【００１０】
この構成により、ユニット家具１００と一つのジョイントパーツ１０１のみの単純な仕組みで、誰もが組み換え可能な多様にカスタマイズできる家具を提供する。
【００１１】
ユニット家具１００の天板１と底板２の正方形の１辺aは、３０ｃｍ以上、５０ｃｍ以下、前記側板３の高さｂは、３０ｃｍ以上、５０ｃｍ以下である。aとbの長さは、同じでも違っていても構わない。
【００１２】
この大きさは、収納場所が定まりにくい様々な生活用品が収容可能なサイズとなっている。３０ｃｍよりも小さいとファイルや大型本、２Ｌのペットボトルやワインなどの飲料瓶類や花瓶、鞄などが入らない。また５０ｃｍよりも大きいと、家具として大きく、大きな面積が必要で使いづらく、引っ越しや生活環境の変化に対応しにくい。また、重くて移動しにくいという難点も出てくる。この大きさは、様々な生活用品が収納可能で、コンパクトに持ち運びしやすく、使いやすい寸法になっている。
【００１３】
図３は、本考案の別のユニット家具１０２の一例を示す斜視図である。図３に示すように、本考案のユニット家具１０２は、対向する正方形の天板１と底板２とを少なくとも１つの側板３で支持している。そして、天板１と底板２とにおける互いに対向する面側とは反対側の面の中央部にユニット家具１００や他のユニット家具１０２を接続するためのジョイントパーツ１０１が嵌合可能な平面視正方形状の凹部４が設けられている。このユニット家具１０２の天板１と底板２の形と大きさはユニット家具１００と同じである。
【００１４】
ユニット家具１０２の側板５の高さｃは、ユニット家具１００の側板の高さｂに対して小さく、２０ｃｍ以上、４０ｃｍ以下である。この大きさは、新書などの本や、鍋類、皿類、カセットコンロなど高さがあまり必要でない物の収納に適したサイズとなる。これにより、様々な生活用品を効率よく収納することが可能となる。
【００１５】
この構成により、少ない種類のユニット家具１００、１０２と一つのジョイントパーツ１０１のみの単純な仕組みで、誰もが組み換え可能な多様にカスタマイズでき、様々な生活用品を効率よく収納することが可能な家具を提供する。
【００１６】
図４（ａ）および（ｂ）は、天板１または底板２にある凹部４の形状と位置を示す平面図である。凹部４は、天板１と底板２の中心にあり、天板1、底板２の正方形の中心と、凹部４の正方形の中心は一致している。天板１と底板２の正方形の辺と凹部４の正方形の辺は、図４（ａ）に示すように平行もしくは図４（ｂ）に示すように角度がついても構わないが、すべて同じ角度になるようにする。この構成により、ユニット家具１０１およびユニット家具１０２は、平面的に９０度回転させてもきれいに重ねることが出来る。
【００１７】
図５は、本考案のユニット家具１００、１０２とジョイントパーツ１０１の結合部分を示す断面図である。ジョイントパーツ１０１の凹部４に嵌まる面は、ユニット家具１００、１０２の天板1、底板２の凹部の形と同じであり、ユニット家具１００、１０２の天板１、底板２の凹部４の深さeは、ジョイントパーツ１０１がユニット家具１００、１０２の天板１、底板２の凹部４に嵌合した状態においてジョイントパーツ１０１がユニット家具１００、１０２の天板1、底板２の凹部４から突出し、且つジョイントパーツ１０１がユニット家具１００、１０２の天板１、底板２の凹部４に嵌合した状態でのユニット家具１００、１０２の天板１、底板２の凹部４からの突出量がユニット家具１００、１０２の天板１、底板２の凹部４の深さよりも小さくなるように設定されている。ジョイントパーツ１０１の高さdは、天板１と底板２の凹部４の深さeよりも大きく、深さeの２倍以下の高さである。
【００１８】
この構成により、ユニット家具１００、１０２の間にジョイントパーツ１０１が嵌合し、ずれることなく重なり、ユニット家具１００、１０２のうち鉛直方向において隣接する２つのユニット家具同士を接続するジョイントパーツ１０１とを備える家具となる。ユニット家具１００、１０２は、平面的に９０度向きを変えてもずれることなく重なるので、前後左右の方向から収納が可能となり便利である。少ない種類のユニット家具１００、１０２と一つのジョイントパーツ１０１のみの単純な仕組みで、誰もが組み換え可能な多様にカスタマイズできて、様々な生活用品を効率よく収納することが可能な家具となる。
【００１９】
図６（a），（b）及び図７は、本考案のユニット家具１００、１０２を単体で使用した例の図である。本考案のユニット家具１００、１０２は、それぞれ様々な生活用品が収容可能で、出し入れがしやすい。ユニット家具１００、１０２の上面の高さbや高さｃはちゃぶ台の高さや、椅子の座面の高さに適しており、図６（a）に示すように、飲料瓶類１１を収納しながら、上面に飲料瓶類１１やグラス１２を置いたり、図６（b）に示すように、大型本１３を収納しながら上に人１６が座ることもでき、椅子としても使用できる。また、図７に示すように、新書本１４を収納した上にマグカップ１５を置いたりして、ちゃぶ台になる。ユニット家具１００、１０２単体で、収納付きちゃぶ台や収納付き椅子として使用でき、一人暮らしや狭小住宅等で便利である。
【００２０】
図８は、本考案のユニット家具１００、１０２を複数段組み合わせて甲板１７を乗せた家具、例えばテーブル１０３として使用した家具の例の図である。図８に示すように、ユニット家具１００、１０２と複数のユニット家具１００、１０２のうち鉛直方向において隣接する２つのユニット家具１００、１０２同士を接続するジョイントパーツ１０１とを備えている。これに、甲板１７を付けることで様々なテーブルや机を作ることができる。本考案のユニット家具１００やユニット家具１０２を２つから３つ重ねた高さfは、例えば７０ｃｍ前後となり、ダイニングテーブルや学習机としての使用に適している。この構成により、少ない種類のユニット家具１００、１０２と一つのジョイントパーツのみの単純な仕組みで、誰もが組み換え可能な多様にカスタマイズできる家具となる。
【００２１】
図９は、本考案のユニット家具１００、１０２を並列に置き、それぞれ複数段組み合わせ、例えば収納棚１０４として使用した例の図である。図９に示すように、ユニット家具１００、１０２のうちの３つのユニット家具を鉛直方向に重ねてなる第１家具群の鉛直方向の第１高さＧ１と、ユニット家具１００、１０２のうちの２つのユニット家具１００、１０２を鉛直方向に重ねてなる第２家具群の鉛直方向の第２高さＧ２とが等しくなるに設定されている。なお、第１家具群に含まれるユニット家具１００、１０２の数は３つに限定されるものではなく、第２家具群に含まれるユニット家具１００、１０２の数も２つに限定されるものではない。この構成により、第１家具群と第２家具群を接するように並べた上に、大きな生活用品を乗せて一つの台としての使い方や、甲板１７を乗せて大きなテーブルとして使うことができる。この際の家具群は２つに限定するものではない。また、ユニット家具１００、１０２を複数個重ねた第１家具群を構成する３つのユニット家具１００、１０２と、ユニット家具１００、１０２を複数個重ねた第２家具群を構成する３つのユニット家具１００、１０２と、の少なくとも一方において、各ユニット家具１００、１０２の天板１と底板２との間の距離は、少なくとも１つの他のユニット家具１００、１０２の天板１と底板２との間の距離と異なる場合もある。これらのことにより、ユニット家具１００、１０２を複数個重ねたものを横に並べ、一つの収納棚１０４や作業台などとしての使用や、テーブルの脚としての使用が可能となる。ちなみに、本考案のユニット家具１００、１０２を２つから４つ重ねた高さgは、例えば９０ｃｍ前後となり、クッキングテーブル、調理台等の使用に適しており、グラス１２や、鍋類１８、皿類１９、花瓶２０、ファイル２１等、様々な生活用品を収納できる家具となる。この構成により、少ない種類のユニット家具１００、１０２と一つのジョイントパーツのみの単純な仕組みで、誰もが組み換え可能な多様にカスタマイズできる家具となる。
【００２２】
図１０は、本考案のユニット家具１００、１０２を複数個重ねたものを脚とし、甲板１７を渡し、例えばカウンターテーブル１０５として使用した家具の例の図である。図１０に示すように、ユニット家具１００、１０２のうちの３つのユニット家具を鉛直方向に重ねてなる第１家具群の鉛直方向の第１高さＧ１‘と、ユニット家具１００、１０２のうちの３つのユニット家具１００、１０２を鉛直方向に重ねてなる第２家具群の鉛直方向の第２高さＧ２’とが等しくなるに設定されている。なお、第１家具群に含まれるユニット家具１００、１０２の数は３つに限定されるものではなく、第２家具群に含まれるユニット家具１００、１０２の数も３つに限定されるものではない。また、図１０に示すように、ユニット家具１００、１０２を複数個重ねた第１家具群を構成する３つのユニット家具１００、１０２と、ユニット家具１００、１０２を複数個重ねた第２家具群を構成する３つのユニット家具１００、１０２と、の少なくとも一方において、各ユニット家具１００、１０２の天板１と底板２との間の距離は、少なくとも１つの他のユニット家具１００、１０２の天板１と底板２との間の距離と異なる場合もある。加えて、図１０に示すように、第１家具群と第２家具群を距離を開けて設置し、甲板１７を渡して、カウンターテーブル１０５の脚として使用することができる。ちなみに、本考案のユニット家具１００、１０２を３つから５つ重ねた高さhは、例えば１００ｃｍ前後となり、カウンターテーブル１０５や、スタンディングテーブル、作業台としての使用に適している。この構成により、少ない種類のユニット家具１００、１０２と一つのジョイントパーツ１０１のみの単純な仕組みで、新書本１４や飲料瓶類１１など様々な生活用品を収納できるカウンターテーブル１０５やスタンディングテーブル、作業台としての使用が可能な家具を作ることができ、誰もが組み換え可能な多様にカスタマイズできる家具となる。
【００２３】
図１１は、本考案のユニット家具１００、１０２を複数個使用して、例えば収納間仕切り１０６として使用した例の図である。図１１に示す通り、ユニット家具１０１やユニット家具１０２の個数や高さも自由に組み合わせが可能であり、平面的に９０度回転させて重ねることもできる。新書１４や大型本１３、ファイル２１などを前後左右４方向から収納が可能で、自由にカスタマイズできる収納間仕切りとなる。また、間に甲板１７を渡してその下を空洞にし、パイプ２２をとりつけることによって、衣類２３を収納したり、鞄２４を収納したりする使い方なども出来る。
【００２４】
以上の構成により、汎用性の高い収納寸法で、あらゆるな生活用品を収納することができるユニット家具１０１、１０２は、単体でも使用が可能である。また、少ない種類のユニット家具１００、１０２と一つのジョイントパーツのみの単純な仕組みで、誰もが組み換え可能な多様にカスタマイズでき、様々な生活用品を効率よく収納することが可能な家具となる。収納付きテーブル１０３や間仕切り１０５などに自在に変化し、生活スタイルが変わっても、一生使い続けられる家具となった。引っ越し、仕事、家族の状況などの変化によって、既存の家具が合わなくなり、収納家具やテーブルを処分して買いなおすことを防ぎ、安易な使い捨てが減ることにつながる。
【符号の説明】
【００２５】
１  天板
２  底板
３  側板
４  凹部
５  側板
１１  飲料瓶類
１２  グラス
１３  大型本
１４  新書本
１５  マグカップ
１６  人
１７  甲板
１８  鍋類
１９  皿類
２０  花瓶
２１  ファイル
２２  パイプ
２３  衣類
２４  鞄
１００，１０２  ユニット家具
１０１  ジョイントパーツ
１０３  テーブル
１０４  収納棚
１０５  カウンターテーブル
１０６  間仕切り
a  長さ
b，ｃ，ｆ，Ｇ１，Ｇ２，Ｇ１’，Ｇ２’，ｈ  高さ
d  厚さ
e  深さ
【図１】
0003229951.tif 000003
【図２】
0003229951.tif 000004
【図３】
0003229951.tif 000005
【図４（ａ）】
0003229951.tif 000006
【図４（ｂ）】
0003229951.tif 000007
【図５】
0003229951.tif 000008
【図６（ａ）】
0003229951.tif 000009
【図６（ｂ）】
0003229951.tif 000010
【図７】
0003229951.tif 000011
【図８】
0003229951.tif 000012
【図９】
0003229951.tif 000013
【図１０】
0003229951.tif 000014
【図１１】
0003229951.tif 000015